(57)【要約】【課題】デジタル放送のストリームを記録する最適な記憶方式を提供すること。【解決手段】放送番組データを受信するチューナを含むＴＳ受信処理モジュール１１と、受信された放送番組データから、同一チャンネルによって連続して放送された複数の放送番組を含むストリームが記録される第１記録形式によってサービス記録コンテンツをＨＤＤ１４Ａ〜１４Ｄの何れかに記録するサービス記録モジュール１３１と、  前記第１コンテンツから、複数の放送番組の内の一つの放送番組のストリームが記録される第２記録形式によってイベントコンテンツをＨＤＤ１４Ａ〜１４Ｄの何れかに記録するイベント記録モジュール１３２とを具備する。【選択図】    図３
2011077895.tif 000002
【特許請求の範囲】
【請求項１】
放送ストリームを受信する受信モジュールと、
放送ストリームを連続して記録する第１記録形式によって前記受信モジュールによって受信された放送ストリームを記録する第１の記録手段と、
前記第１の記録手段によって記録された放送ストリームから選択された番組に対応する番組ストリームを選択し、前記受信モジュールによって受信された放送ストリームから選択された番組のストリームを記録する第２記録形式によって前記選択された番組ストリームを記録する第２の記録手段と、
を具備することを特徴とするストリーム記録装置。
【請求項２】
前記受信モジュールによって受信される放送ストリームに含まれる各番組にはそれぞれダビング許可回数が設定され、
前記第２の記録手段によって前記番組ストリームが記録された場合、前記第１の記録手段によって記録された放送ストリームに含まれる前記選択された番組のダビング許可回数と前記第２の記録手段によって記録された番組ストリームに設定されるダビング許可回数との和が前記受信モジュールによって受信された放送ストリームに含まれる前記選択された番組のダビング許可回数となるように、前記番組ストリームのダビング許可回数および前記第１の記録手段によって記録された放送ストリームに含まれる前記選択された番組のダビング許可回数を管理するダビング回数管理部を更に具備することを特徴とする請求項１に記載のストリーム記録装置。
【請求項３】
前記第２の記録手段は、前記第１の記録手段によって記録された放送ストリームに含まれているＥＩＴ（Event Information Table）に記述されている番組の放送開始時間および終了時間に基づいた区間の前後に所定量の区間が加えられた区間を前記第１の記録手段で記録された放送ストリームから選択することによって、前記番組ストリームを記録することを特徴とする請求項１または請求項２の何れか１項に記載のストリーム記録装置。
【請求項４】
前記第２の記録手段は、前記第１の記録手段によって記録された放送ストリームから前記選択された番組に対応するＰＭＴ（Program  Map  Table）と前記選択された番組の次の番組に対応するＰＭＴとを検出し、検出された二つのＰＭＴの間の区間の前後に所定量の区間が加えられた区間を前記第１の記録手段によって記録された放送ストリームから選択することによって、前記選択番組ストリームを記録する
ことを特徴とする請求項１または請求項２の何れか１項に記載のストリーム記録装置。
【請求項５】
前記第１の記録手段は、前記第１の記録手段によって放送ストリームが記録されてから一定期間経過した後に当該放送ストリームを前記受信モジュールによって受信される新たな放送ストリームによって上書き記録し、
前記選択された番組に設定されている権利保護情報がコピーワンスである場合、前記第２の記録手段は、前記上書き記録が実行される一定時間前に前記番組ストリームの記録を行い、
前記番組ストリームの記録終了後、前記第１の記録手段によって記録された放送ストリームを再生不能状態にすることを特徴とする請求項１乃至請求項４の何れか１項に記載のストリーム記録装置。
【請求項６】
前記第１の記録手段によって記録される放送ストリームは放送事業者から提供される地上デジタルテレビジョン放送のＨＤＴＶ放送であり、
放送ストリームを連続して記録する第３記録形式によって、前記第１の記録手段によって記録された放送ストリームを提供する放送事業者と同一の放送事業者から携帯電話・移動体端末向けの１セグメント部分受信サービスによって提供され、前記受信モジュールによって受信された放送ストリームを記録する第３の記録手段と、
前記受信モジュールで受信する放送ストリームから選択された番組のストリームを記録する第４記録形式によって前記第３の記録手段によって記録された放送ストリームから選択された番組に対応する番組ストリームを選択し、前記選択された番組ストリームを記録する第４の記録手段と、
を具備することを特徴とする請求項１乃至請求項５の何れか１項に記載のストリーム記録装置。
【請求項７】
放送ストリームを連続して記録する第１記録形式によって前記受信モジュールによって受信された放送ストリームを記録し、
前記第１の記録手段によって記録された放送ストリーム番組から選択された番組に対応するストリームを選択し、前記受信モジュールによって受信された放送ストリームから選択された番組のストリームを記録する前記第２記録形式によって前記選択された番組ストリームを記録する、
ことを特徴とするストリーム記録方法。
【発明の詳細な説明】
【技術分野】
【０００１】
本発明は、デジタル放送によって放映された放送番組を記憶装置に記録するストリーム記録装置およびストリーム記録方法に関する。
【背景技術】
【０００２】
記憶装置の記憶容量の増大に伴い、記憶装置に長時間のデジタル放送番組を記録することが可能になっている。例えば、一つのチャンネルで１週間に放映された全ての番組を記憶装置に格納しておくことなどができるようになってきた。
【０００３】
特許文献１には、１日分の放送番組を上書きで記録し、記録された放送番組からユーザによって指定された番組を保存領域に記録することが開示されている。
【先行技術文献】
【特許文献】
【０００４】
【特許文献１】特開平１０−２３４００７号公報
【発明の概要】
【発明が解決しようとする課題】
【０００５】
デジタル放送の場合、これまでのアナログ放送とは異なり、番組毎に記録が可能か？記録が可能な場合には媒体へのコピーが可能かどうか？を示す権利保護情報が付随しており、受信機においてもこの情報に従った制御が必要になる。また、一時記録の場合と保存用の記録の場合では再生の仕方も異なるため、最大限のパフォーマンスをだすためには記録フォーマットもそれぞれに変える必要がある。
【０００６】
本発明の目的は、デジタル放送のストリームを記録する最適な記憶方式を提供することが可能なストリーム記録装置およびストリーム記録方法にある。
【課題を解決するための手段】
【０００７】
本発明の一例に係わるストリーム記録装置は、放送ストリームを受信する受信モジュールと、放送ストリームを連続して記録する第１記録形式によって前記受信モジュールによって受信された放送ストリームを記録する第１の記録手段と、前記第１の記録手段によって記録された放送ストリームから選択された番組に対応する番組ストリームを選択し、前記受信モジュールによって受信された放送ストリームから選択された番組のストリームを記録する第２記録形式によって前記選択された番組ストリームを記録する第２の記録手段と、を具備することを特徴とする。
【発明の効果】
【０００８】
本発明によれば、デジタル放送のストリームを記録する最適な記憶方式を提供することが可能になる。
【図面の簡単な説明】
【０００９】
【図１】本発明の一実施形態に係わるデジタル放送記録装置の構成を示すブロック図。
【図２】図１に示すＴＳ受信処理モジュールの構成を示すブロック図。
【図３】図１に示す記録再生処理モジュールの構成を示すブロック図。
【図４】モニタの表示画面上に表示される番組表を示す図。
【図５】図４に示す番組表に重ねて表示される機能選択ウィンドウを示す図。
【図６】サービス記録コンテンツに対するイベント記録コンテンツの区間を示す図。
【発明を実施するための形態】
【００１０】
本発明の実施の形態を以下に図面を参照して説明する。
【００１１】
図１は、本発明の一実施形態に係わるデジタル放送の受信および表示を行うデジタル放送テレビジョンの構成を示すブロック図である。
【００１２】
コンテンツ記録装置としてのデジタル放送テレビジョン１は、デジタル放送受信装置１０およびモニタ４０等を備えている。デジタル放送受信装置１０は、デジタル放送波（放送番組データ）を受信してストリームを復調する。デジタル放送受信装置１０は、復調されたストリームに基づいたコンテンツを記憶装置に記録する。デジタル放送受信装置１０は、ストリームまたはコンテンツから映像信号およびオーディオ信号を生成し、モニタ４０に出力する。表示装置としてのモニタ４０は、映像信号に基づいた映像を表示画面表に表示する。モニタ４０は、オーディオ信号に基づいてスピーカから音を出力する。デジタル放送受信装置１０とモニタ４０との間の信号の伝送には、ＨＤＭＩ（High-Definition Multimedia Interface）やワイヤレスＨＤＭＩ等が用いられる。
【００１３】
デジタル放送受信装置１０は、ＴＳ受信処理モジュール１１、ＣＡＳ制御モジュール１２、記録再生処理モジュール１３、ハードディスクドライブ（ＨＤＤ）１４Ａ〜１４Ｄ、信号選択モジュール１５、ＡＶデコード処理モジュール１６、表示処理モジュール１７、番組データベース処理モジュール１８、ダビング回数管理モジュール１９、視聴制御モジュール２０、メモリ２１、および表示制御モジュール２２等を備えている。
【００１４】
ＴＳ受信処理モジュール１１は、一つの放送事業者が送信するデジタル放送波（放送番組データ）を選択的に受信し、デジタル放送波を復調して得られるトランスポートストリーム（ＴＳ）を出力する複数のチューナを備えている。
【００１５】
地上デジタルテレビジョン放送の１チャンネルが占有する周波数帯域（６ＭＨｚ）は１３の帯域（約５．５７ＭＨｚ）とガードバンドに分割されている。分割された帯域はセグメントと呼ばれる。中央の１セグメントを用いて、携帯電話などの携帯機器を受信対象とする地上デジタルテレビジョン放送（「携帯電話・移動体端末向けの１セグメント部分受信サービス」）、所謂ワンセグ放送が送信されている。中央の１セグメントを除いた１２セグメントを用いてハイビジョン（ＨＤＴＶ）放送が送信されている。なお、１２セグメントを用いて、標準画質映像（ＳＤＴＶ）放送を最大３つの番組を送信する場合もある。
【００１６】
ＣＡＳ制御モジュール１２は、ＴＳ受信処理モジュール１１に含まれる複数のチューナとＣＡＳカード３１Ａ，３１Ｂとの間で伝送される信号の送り先を制御する。一つのＣＡＳカードに対して信号を伝送するチューナは決まっている。ＣＡＳ制御モジュール１２は、一つのＣＡＳカードとこのカードに対応するチューナとの間で信号の伝送が行われるように制御を行う。
【００１７】
ＴＳ受信処理モジュール１１は、複数のチューナを備えている。ＴＳ受信処理モジュールの構成について図２を参照して説明する。
【００１８】
ＴＳ受信処理モジュール１１は、複数のチューナ１１０Ａ、１１０Ｂ、１１０Ｃを備えている。各チューナ１１０Ａ、１１０Ｂ、１１０Ｃは、チューナモジュール１１１Ａ，１１１Ｂ，１１１Ｃ、ＴＳ分離モジュール１１２Ａ，１１２Ｂ，１１２Ｃ、デスクランブラモジュール１１３Ａ，１１３Ｂ，１１３Ｃ等を備えている。
【００１９】
チューナモジュール１１１Ａ，１１１Ｂ，１１１Ｃは、それぞれ一つのチャンネルから放送されるデジタル放送波を選択的に受信し、受信したデジタル放送波からトランスポートストリーム（ＴＳ）を復調する。チューナモジュール１１１Ａ，１１１Ｂ，１１１Ｃによって復調されたストリームはＴＳ分離モジュール１１２Ａ，１１２Ｂ，１１２Ｃに送られる。分離モジュール１１２Ａ，１１２Ｂ，１１２Ｃは、ストリームから番組情報（ＥＣＭ）を分離する。分離されたＥＣＭは、ＣＡＳ制御モジュール１２を介して、ＣＡＳカード３１Ａ〜３１Ｄの何れかのカードに転送される。ＣＡＳカードの中では、記憶されているワーク鍵（Ｋｗ）を用いてＥＣＭの暗号を復号してスクランブル鍵（Ｋｓ）を得る。同時にＥＣＭからその番組に関する属性情報を得て、ＣＡＳカードに記憶されている契約情報と比較してデスクランブルを行うか否かが判定される。この判定を行う際に、番組の属性情報で指定される課金方式に基づいて制御が行われる。なお、スクランブル鍵Ｋｓとワーク鍵Ｋｗは放送事業者毎に異なるが、全受信機で共通な鍵である。
【００２０】
デスクランブラモジュール１１３Ａ，１１３Ｂ，１１３Ｃは、設定されたスクランブル鍵Ｋｓを用いて暗号化されたストリームのデスクランブルを行い、デスクランブルされたストリームを出力する
記録再生処理モジュール１３は、ＴＳ受信処理モジュール１１から出力されたストリームに基づいたコンテンツをＨＤＤ１４Ａ〜１４Ｄのような記憶メディアに格納する録画処理を実行する。また、記録再生処理モジュール１３は、ＨＤＤ１４Ａ〜１４Ｄに記録されているコンテンツを再生する処理を実行する。なお、ＨＤＤ１４Ａ〜１４Ｄは、記録再生処理モジュール１３等が内蔵されている筐体内に設けられていても良いし、筐体の外部に設けられていても良い。例えば、ＨＤＤ１４Ａ〜１４Ｄは、ＵＳＢ等の外部デバイスを接続するためのインタフェースを用いて筐体に接続されていていても良い。
【００２１】
記録再生処理モジュール１３は、図３に示すように、サービス記録モジュール１３１と、イベント記録モジュール１３２、ワンセグ記録モジュール１３３等を備えている。
【００２２】
サービス記録モジュール１３１は、ＴＳ受信処理モジュール１１内のチューナモジュール１１１Ａ〜１１１Ｃから出力されたトランスポートストリームをそれぞれＨＤＤ１４Ａ〜１４Ｄの何れかの所定エリアに記録する。
【００２３】
以下では、サービス記録モジュール１３１によって記録されるコンテンツをサービス記録コンテンツと記す。サービス記録コンテンツは、１日のうちの所定時間記録することが可能であり、たとえば９時から１２時の3時間とか０時〜２４時の２４時間等の設定が可能である。
【００２４】
なお、サービス記録モジュール１３１は、ＨＤＴＶ放送のストリームのサービス記録コンテンツとワンセグ放送のストリームのサービス記録コンテンツとをそれぞれ記録する。
【００２５】
サービス記録コンテンツは、記録されてから一定日数が経過すると、ＨＤＤ１４Ａ〜１４Ｄから削除される。保存しておきたい放送番組をユーザが指定することによって、指定された放送番組に対応するコンテンツがイベント記録モジュール１３２によってＨＤＤ１４Ａ〜１４Ｄの何れかに記録することができる。
【００２６】
イベント記録モジュール１３２は、ＴＳ受信処理モジュール１１から出力されたストリームまたはサービス記録モジュール１３１によってＨＤＤ１４Ａ〜１４Ｄに記録されたサービス記録コンテンツに基づいて一つの放送番組（イベント）に係わるコンテンツをＨＤＤ１４Ａ〜１４Ｄの何れかに記録する。イベント記録モジュール１３２によって記録されたコンテンツをイベント記録コンテンツと記す。
【００２７】
なお、イベント記録コンテンツの記録形式は、指定された放送番組の再生に必要な情報を選択的に有する形式であり、複数の番組が多重されているような場合サービス記録コンテンツの記録形式と同一の記録形式で記録されたコンテンツに比べて容量が小さくなる。
【００２８】
なお、サービス記録コンテンツとイベント記録コンテンツとを同一のＨＤＤ（１４Ａ〜１４Ｄ）に記録しても良いし、サービス記録コンテンツとイベント記録コンテンツとを異なるＨＤＤ（１４Ａ〜１４Ｄ）に記録しても良い。
【００２９】
また、ワンセグ記録モジュール１３３は、ＴＳ受信処理モジュール１１から出力されたストリームまたはサービス記録モジュール１３１によってＨＤＤ１４Ａ〜１４Ｄに記録されたサービス記録コンテンツから一つの放送番組に係わるワンセグ放送をＨＤＤ１４Ａ〜１４Ｄに記録する。
【００３０】
信号選択モジュール１５は、ＴＳ受信処理モジュール１１内の何れかのチューナモジュールから供給される番組放送データ、および記録再生処理モジュール１３から出力されるコンテンツから、ＡＶデコード処理モジュール１６に伝送するデータを選択する。
【００３１】
ＡＶデコード処理モジュール１６は、信号選択モジュール１５から伝送されたストリームまたはコンテンツのデコード処理を行う。
【００３２】
表示処理モジュール１７は、表示制御モジュール２２の制御の下にモニタに表示するためのデータを生成する。
【００３３】
番組データベース処理モジュール１８は、ＨＤＤ１４Ａ〜１４Ｄに格納されているコンテンツの管理を行う。また、ストリームに含まれる番組情報に基づいて番組表を作成するためのデータを管理する。
【００３４】
ダビング回数管理モジュール１９は、ＨＤＤ１４Ａ〜１４Ｄに格納されているコンテンツのダビング許可回数の管理を行う。現在、地上デジタル放送では、ダビング１０といわれるダビング回数の制限が実施されている。ダビング１０の場合、コンテンツにはコピー９回とムーブ１回のダビング制限がイベント（番組）毎に付与されている。以下では、コピーの回数とムーブの回数を合わせてダビング許可回数と称する。なお、ダビング許可回数が１の場合、コンテンツのムーブしか行うことができない。
【００３５】
視聴制御モジュール２０は、ＴＳ受信処理モジュール１１によって受信されたストリームに含まれる映像データをグラフィクスコントローラを通じてＬＣＤのような表示装置に出力する視聴処理を実行する。この視聴処理においては、ストリームに含まれるオーディオデータをサウンドコントローラを通じてスピーカに出力する処理も実行される。同時に視聴可能な放送番組は例えば１つのみである。
【００３６】
このようにサービス記録コンテンツとイベント記録コンテンツように異なるフォーマットで記録しておくといろいろなアプリケーションに対応できることになる。
【００３７】
たとえば、イベント記録コンテンツはタイトル管理が容易なのでリスト表示や検索から所望のタイトルを再生するようなアプリケーションに適しているし、サービス記録コンテンツでは過去の時間すべて記録しているので、言い換えれば過去の時刻で放送を受信しているのと同じになる（番組の間が途切れない）ので、まさに現在の視聴と同様の操作環境で記録したコンテンツを視聴するようなアプリケーションに適している。
【００３８】
イベント記録モジュール１３２が、サービス記録モジュール１３１によってＨＤＤ１４Ａ〜１４Ｄに記録されたサービス記録コンテンツから一つのイベントに係わるイベント記録コンテンツをＨＤＤ１４Ａ〜１４Ｄに記録する場合について説明する。
【００３９】
次に、ユーザが、サービス記録コンテンツに含まれる放送番組からイベント記録コンテンツを生成する放送番組を指定する手順について説明する。
【００４０】
番組データベース処理モジュール１８は、サービス記録コンテンツに含まれる番組情報から図４に示す番組表をモニタ４０の表示画面上に表示するための処理を実行する。
【００４１】
この番組表は、左上に表示されている現在の日時（10/11(金)  PM3:13）より過去に放映され、サービス記録コンテンツとしてＨＤＤ１４Ａ〜１４Ｄに記録されている放送番組を示している。この番組表が表示された状態で、ユーザによるリモコン等の操作により、一つの放送番組を示す欄の選択および決定操作が行われると、図５に示すように、番組表に機能選択ウィンドウ２００が重ねて表示される。機能選択ウィンドウ２００中の再生ボタン２０１の選択および決定操作が行われると、選択および決定操作が行われた放送番組が再生される。機能選択ウィンドウ２００中の録画ボタン２０２の選択および決定操作が行われると、イベント記録モジュール１３２によるサービス記録コンテンツからイベント記録コンテンツの記録が行われる。
【００４２】
ところで、図６に示すように、ＨＤＤ１４Ａ〜１４Ｄに記録されているサービス記録コンテンツ３０１は複数の放送番組（番組Ａ、番組Ｂ、番組Ｃ）を含む。イベント記録モジュール１３２は、一つの放送番組（番組Ｂ）のイベント記録コンテンツ３０２をＨＤＤに記録する場合、放送番組（番組Ｂ）の放送時間の開始前からイベント（番組Ｂ）の放送終了後の区間を有するイベント記録コンテンツ３０２を作成する。
【００４３】
イベント記録コンテンツ３０２を生成する場合、イベント記録モジュール１３２は、番組Ｂの放送開始時間および放映時間に基づいて、放送開始時間の設定された時間である２秒前から放送終了時間の設定された時間である２秒後の間の区間を有するＨＤＴＶ放送のコンテンツを生成し、ＨＤＤ１４Ａ〜１４Ｄに記録する。放送終了時間は、放送開始時間および放映時間から演算される。
【００４４】
イベント（番組）の放送開始時間は、ＥＩＴ（Event Information Table）内のstart_timeフィールドに記録されている。また、ＥＩＴの放映時間（継続時間）は、durationフィールドに記録されている。イベント記録モジュール１３２は、ＥＩＴ内のstart_timeフィールドおよびdurationフィールドを参照して、イベント記録コンテンツ３０２の記録を行う。ＥＩＴは、サービス記録コンテンツ内の番組配列情報に格納されているデータである。
【００４５】
また、放送番組の切り替わりはストリーム内のＰＭＴ（Program  Map  Table）を検索し前の番組のＰＭＴから切り替わった点を第１ポイント、次の番組のＰＭＴを検出した点を第２ポイントとし、第１ポイントの一定時間前から第２ポイントから一定時間後の区間を有するイベント記録コンテンツを生成しても良い。
【００４６】
ところで、イベント記録モジュール１３２がイベント記録コンテンツをＨＤＤ１４Ａ〜１４Ｄに記録するのに伴って、ワンセグ記録モジュール１３３が同じ番組のワンセグ放送のコンテンツをサービス記録コンテンツから生成し、生成されたコンテンツをＨＤＤ１４Ａ〜１４Ｄに記録しても良い。
【００４７】
番組データベース処理モジュール１８は、ワンセグ記録モジュール１３３によってコンテンツが記録されたのに伴って、生成されたコンテンツを管理する。ユーザがＨＤＤ１４Ａ〜１４Ｄに記録されているコンテンツの一覧の表示を指示した場合、記録されたワンセグ放送のコンテンツをユーザに提示することができる。
【００４８】
次に、選択された番組にダビング回数の制限が与えられている場合を説明する。ダビング回数制限の制御情報は、イベント（番組）単位で管理される。
【００４９】
ダビング回数管理モジュール１９は、サービス記録コンテンツのダビング回数と、イベント記録コンテンツのダビング回数との和が設定されている１０となるようにそれぞれのダビング回数を管理する。
【００５０】
つまり、ＨＤＤ１４Ａ〜１４Ｄは一つとして管理することで、コンテンツとして要求している権利保護レベルを超えないようにしている。
【００５１】
たとえば、ダビング回数管理モジュール１９は、ループ記録を行っているサービス記録コンテンツ内の放送番組としてはダビング許可回数を１０回とするが、このコンテンツをイベント記録コンテンツとして記録を行うとサービス記録コンテンツのダビング許可回数を１、イベント記録コンテンツのダビング許可回数に９回（コピー８回＋ムーブ１回）に設定することでどちらのコンテンツも再生可能な状態にしておくことができる。また、図４に示すような番組表においても放送番組の情報が表示される。
【００５２】
なお、ダビング後の再生をしない場合は、ダビング回数管理モジュール１９は、サービス記録コンテンツ内の放送番組のダビング許可回数に０回を設定し、イベント記録コンテンツのダビング許可回数に１０回（コピー９回＋ムーブ１回）を設定しても良い。
【００５３】
また、コピーワンスのコンテンツの場合はサービス記録コンテンツとして記録した時点でもはやコピーはできなくなるので、選択された番組がこのケースの場合には、ムーブ予約としてループ記録で上書きされる一定時間前（たとえば10分前等）にイベント記録コンテンツとしてムーブするように制御される。
【００５４】
このようにすることで、実際に再生する際にはサービス記録コンテンツとして再生することで現在の番組の視聴と同じようなイベントの切り替わりで映像が途切れるようなことがなくシームレスな再生が可能になる。
【００５５】
なお、上述したデジタル放送を受信するチューナの代わりに、ＩＰ放送を受信するモジュールを用いても良い。
【００５６】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００５７】
１…デジタル放送テレビジョン，１０…デジタル放送受信装置，１１…ＴＳ受信処理モジュール，１２…ＣＡＳ制御モジュール，１３…記録再生処理モジュール，１４Ａ〜１４Ｄ…ハードディスクドライブ，１５…信号選択モジュール，１６…ＡＶデコード処理モジュール，１７…表示処理モジュール，１８…番組データベース処理モジュール，１９…ダビング回数管理モジュール，２０…視聴制御モジュール，２１…メモリ，２２…表示制御モジュール，３１Ａ〜３１Ｄ…ＣＡＳカード，４０…モニタ，１３１…サービス記録モジュール，１３２…イベント記録モジュール，１３３…ワンセグ記録モジュール。
【図１】
2011077895.tif 000003
【図２】
2011077895.tif 000004
【図３】
2011077895.tif 000005
【図４】
2011077895.tif 000006
【図５】
2011077895.tif 000007
【図６】
2011077895.tif 000008